(57)【要約】【課題】外部配線用のケーブル等を不要とし、ペデスタル等の架台装置の移動等の自由度を高め得る装置を提供する。【解決手段】ＴＶカメラ２を搭載するペデスタル１は、略三角形の平面形状と適当な高さを有する台車部３と、台車部３上に伸縮可能に設けたポスト部４と、操作ハンドル５と、ポスト部４を伸縮させるために台車部３上に取り付けた駆動部７等からなる。台車部３内には、ＴＶカメラ２への電源供給用のバッテリ２５が１個または複数個内蔵させてある。バッテリ２５としては充電可能なものが望ましい。またバッテリ２５は、台車部３に対して着脱可能なものであることが望ましい。【特許請求の範囲】
【請求項１】
電源供給を必要とするＴＶカメラ等の機器を搭載して移動可能なペデスタルにおいて、前記ＴＶカメラ等の機器へ電源を供給するためのバッテリと、該バッテリから前記ＴＶカメラ等の機器へ電源を供給するための配線とを備えたことを特徴とするペデスタル。
【請求項２】
請求項１のペデスタルにおいて、前記バッテリを、移動するための台車部内に配してなることを特徴とするペデスタル。
【請求項３】
請求項２のペデスタルにおいて、前記バッテリを、移動するための台車部内に複数個配してなることを特徴とするペデスタル。
【請求項４】
請求項２または３のペデスタルにおいて、前記バッテリを前記台車部内の外周縁近傍に設けてなることを特徴とするペデスタル。
【請求項５】
請求項４のペデスタルにおいて、前記バッテリを着脱、交換するための開閉部を前記バッテリの配置位置近傍で前記台車部に設けてなることを特徴とするペデスタル。
【請求項６】
請求項１のペデスタルにおいて、前記ＴＶカメラ等の機器を搭載して昇降動作可能なポスト部を有し、前記バッテリを、該ポスト部内に配してなることを特徴とするペデスタル。
【請求項７】
請求項６のペデスタルにおいて、前記ポスト部が複数の筒からなり、前記バッテリを、該複数の筒のうちの最内筒内に配してなることを特徴とするペデスタル。
【請求項８】
請求項６のペデスタルにおいて、前記ポスト部が複数の筒からなり、前記バッテリを、該複数の筒のうちの最外筒内に配してなることを特徴とするペデスタル。
【請求項９】
請求項１のペデスタルにおいて、前記バッテリを、移動するための台車部上に配してなることを特徴とするペデスタル。
【請求項１０】
請求項９のペデスタルにおいて、前記バッテリを、移動するための台車部上に複数個配してなることを特徴とするペデスタル。
【発明の詳細な説明】
【技術分野】
【０００１】
本発明は、各種雲台を介してＴＶカメラ、レンズ等を搭載した時に、操作ハンドルを上下に操作することによってこれらＴＶカメラ等の搭載物の床面からの高さを変えられるようになっており、操作ハンドルの回転操作により台車の車輪の向きを変え、任意の位置へ搭載物を移動させることができる、ペデスタルと称される機器に関する。
【背景技術】
【０００２】
ＴＶカメラ等の電源供給を必要とする機器を搭載して移動可能な架台装置、例えばＴＶ撮影スタジオ等で用いられるペデスタル（ペデスタルドリー等とも言うが、本明細書では単にペデスタルと言う。）については、従来は、外部電源との間を接続するケーブルを備え、このケーブルによりＴＶカメラ等へ電源を供給している。
【特許文献１】特開平09-093466号公報
【発明の開示】
【発明が解決しようとする課題】
【０００３】
したがって、ペデスタルをＴＶ撮影スタジオ内等で自由に移動させようとすると、例えばケーブルの這い回し、引き回し等の関係で、移動範囲、移動形態に制限が生じたり、ケーブル操作用の人員を必要としたりするものとなっている。【０００４】
そこで本発明は、上述した従来の問題点にかんがみ、外部配線用のケーブル等を不要とし、ペデスタルの移動等の自由度を高め得る装置を提供することを目的とする。
【課題を解決するための手段】
【０００５】
本発明の請求項１に係る架台装置は、ＴＶカメラ等の電源供給を必要とする機器を搭載して移動可能な架台装置において、前記ＴＶカメラ等の機器へ電源を供給するためのバッテリを備えたことを特徴とする。【０００６】
本発明の請求項２に係るペデスタルは、電源供給を必要とするＴＶカメラを搭載して移動可能なペデスタルにおいて、前記ＴＶカメラへ電源を供給するためのバッテリを備えたことを特徴とする。【０００７】
同請求項３に係るものは、請求項２のペデスタルにおいて、前記バッテリを非伸縮のベース部内に配してなることを特徴とする。【０００８】
同請求項４に係るものは、請求項２のペデスタルにおいて、前記バッテリを非伸縮のベース部上に配してなることを特徴とする。
【発明の効果】
【０００９】
本発明は、外部配線用のケーブル等が不要となり、ペデスタル等の架台装置の移動等の自由度を高めることができ、使用に便利なものとすることができる。
【図面の簡単な説明】
【００１０】
【図１】本発明に係るペデスタルの一実施例を示す斜視図
【図２】図１の実施例でペデスタルのみの状態とした斜視図
【図３】同じくペデスタルの断面図
【図４】ペデスタルの台車部の一部を示す斜視図
【図５】ペデスタルの移動形態の一例を示す平面図
【符号の説明】
【００１１】
１：ペデスタル
２：ＴＶカメラ
３：台車部
４：ポスト部
５：操作ハンドル
６：ブレーキハンドル
７：駆動部車輪
８：車輪
９：クラッチ操作用のペダル
１０：内筒
１１：中内筒
１２：中筒
１３：中外筒
１４：外筒
１５：ワイヤードラム
１６：昇降ワイヤー
１７：ハット
１８：カバー
１９：ウィングナット
２０：レール
２１：ローラー
２２：爪
２３：ロックピン
２５：バッテリ
２４：清掃口
２６：バッテリからＴＶカメラへの電源供給用の配線
２７：ＴＶカメラへの配線
【発明を実施するための最良の形態】
【００１２】
以下本発明を実施するための最良の形態を、図に示す実施例を参照して説明する。【００１３】
図１は本発明に係る架台装置、具体的にはペデスタルの一実施例を示す斜視図である。図中１はペデスタル、２はＴＶカメラである。ＴＶカメラ２は周知のものであるので説明は省略する。既述のように、本発明は、搭載するものがＴＶカメラに限定されるものではない。【００１４】
ペデスタル１は主に、略三角形の平面形状と適当な高さを有する台車部３と、台車部３上に伸縮可能に設けたポスト部４とから構成され、ポスト部４の最上位置に操作ハンドル５を有し、中途位置にはブレーキハンドル６を備え、さらに図３に示すように、台車部３上面からポスト部４側面にかけてポスト部４を伸縮させるための駆動部７を有している。【００１５】
台車部３は、図５に示すように３組の車輪を有して移動可能であり、その上に設けたポスト部４上に雲台等を介してＴＶカメラ２を搭載し、ポスト部４の伸縮によってＴＶカメラ２を上下させ、操作ハンドル５の操作によって向きを可変するようになっている。【００１６】
また、三角形の平面形状を有する台車部３の底面の頂点の部分には、図５に示すように各々車輪８が取り付けてあり、３つの車輪８がペデスタル１全体を支持している。これら３つの車輪８のうち１つの車輪の近傍には、１車輪−３車輪切り換え用のクラッチ機構が設けてある。クラッチ機構の具体的な構造については図示を省略するが、一般的な機構で良い。また台車部３にはクラッチ操作用のペダル９が設けてある。そしてこれも図示しないが、ポスト部４内部の伝達軸から出てきたチェーンは、このクラッチ機構が付いている車輪８へ回転を伝えるようになっている。この車輪８はクラッチ切り換えのいかんに拘わらず、操作ハンドル５と連動して回転するようになっている。そして例えば、クラッチ操作によって３つの車輪すべてを操縦することを選択した時のみ、クラッチ付きの車輪８上のプーリーによりタイミングベルトを介して、残り２車輪も連動して回転する等の機構を備えている。【００１７】
なお、ポスト部４は空気圧シリンダによる定出力機構を備えている。具体的には、ペデスタル１は、搭載物の重量をバランスさせるために、空気圧シリンダの出力を利用しており、ポスト部４を構成する筒の昇降による任意の高さにおいて、常に一定出力が得られるような荷重調整機構を内蔵している。ポスト部４を構成する筒は、図３に示すように、内筒１０、中内筒１１、中筒１２、中外筒１３、外筒１４の５本の筒から構成されており、外筒１４を除いた筒が各々均等の間隔を保ちながら昇降するようになっている。すなわち、ワイヤードラム１５から出ている昇降ワイヤー１６が、中外筒１３、中筒１２、中内筒１１を通して内筒１０を持ち上げる。最終的に引き上げられる内筒１０の上端にはハット１７が取り付けてあり、ここに各種雲台を取り付け、既述のように、それを介しＴＶカメラ２等を搭載する。【００１８】
このような機構によって、ＴＶカメラ２の上下の高さ、仰角、俯角の変更や、左右の振りを自由に行え、かつ自由な方向へスムーズに移動することができるようになっている。なお各図では台車部３の本体は示しておらず、カバー１８によって覆ってある状態で描いてある。またなお図示の例では車輪８は３組の例のみ示すが、４組以上に設けることも可能である。【００１９】
操作ハンドル５は、ペデスタル１の昇降、及び車輪操作に用い、ブレーキハンドル６は、図２においてこのハンドルを時計方向に回すことにより、ペデスタル１の筒１０〜１３の昇降にブレーキをかけることができる。ブレーキハンドル６も操作ハンドル５と同様に筒１０〜１３と共に昇降するので楽な姿勢で操作が可能なばかりでなく、ペデスタル１のどの位置からも操作できるようになっている。なお、ブレーキを解除する場合にはブレーキハンドル６を反時計方向に回せばよい。【００２０】
さらにハット１７は、内筒１０の上部に各種雲台を載せる部分である。雲台を搭載する場合は、雲台側についているウィングナットを外し、ハット１７の内部に内蔵されているウィングナット１９を使用する。【００２１】
筒１０〜１４は、既述のように、相互に均等な間隔で昇降するようになっているが、各筒１０〜１３の側面にはレール２０が設けてある。これらレール２０は、筒１０〜１３を押さえているローラー２１が動く面である。【００２２】
なお詳細な図示は省略するが、操作ハンドル５の円盤部には可動式の爪２２が設けてあり、これが外筒１４から出た３本のロックピン２３と噛み合うことにより、ペデスタル１の上下動作をロックする機構となっている。【００２３】
台車部３の内部には、ＴＶカメラ２への電源供給用のバッテリ２５が内蔵させてあるが、ペデスタル１の本体部３が一体型の台車カバー１８で覆ってあるので、台車カバー１８には、図４に示すように、車輪部の清掃口２４が設けてある。この清掃口２４は、台車カバー１８の３つの隅角部分に設けてあり、車輪８に付着したゴミ等を除去するためと、後述するようにバッテリの着脱に使用できるようになっている。【００２４】
上述のような構造のペデスタル１の内部には、バッテリ２５が１個または複数個設けてある。図示の例では、台車部３の内部に２個、外筒１４の底部近傍に１個、内筒１０の中途部位に１個設けてあるように描いてあるが、これらのうちどれか一つでも良いし、全部も受けても良い。必要な電力供給が可能なようにバッテリの種類と個数を選択すればよい。バッテリ２５としては充電可能なものが望ましいのはもちろんであるが、それ以外のものであっても良い。なお、清掃口２４は、台車カバー１８の内周縁近傍に位置させたバッテリ２５だけにアクセス可能なように描いてあるが、清掃口２４の位置によっては外筒２４内のものにもアクセス可能になる。また外筒１４の底面に開口を設けてそこから内筒１０や外筒１４のバッテリ２５にアクセス可能にすることもでき、図示の例には限定されない。【００２５】
バッテリ２５は、台車部３に対して着脱可能なものであることが望ましいが、充電可能なものであれば、台車部３内に固定で着脱できなくても、例えば外部の電源を接続して充電できればよい。またなお、バッテリ２５からＴＶカメラ２への電源供給用の配線２６は、台車部３内からポスト部４内を通すようにしても良いし、図示は省略するが、台車部３の上面へ一端露出させ、ＴＶカメラ２への配線２７と同様にポスト部４の側面に沿わせてＴＶカメラ２へ接続するようにしても、いずれでもよい。図示の例では、ポスト部４の伸縮にも邪魔にならないようにコイル状に巻き廻したタイプのものを用いてポスト部４内を通し、内筒１０の上端開口から外部へ出るように配線してあるが、これは単なる一例である。また外部へ出さず、ハット１７に取り付ける雲台に電源供給用の端子を設ければ、内筒１０内を雲台下部まで配線すれば良くなる。
【産業上の利用可能性】
【００２６】
なお図示の実施例はＴＶカメラ搭載用のもののみであるが、本発明はこれに限定されず、ＴＶカメラ等の電源供給を必要とする機器を搭載して移動可能な種々の架台装置に適用でき、図示の例には限定されないものである。
【図１】
2006137226.tif 000002
【図２】
2006137226.tif 000003
【図３】
2006137226.tif 000004
【図４】
2006137226.tif 000005
【図５】
2006137226.tif 000006
【国際調査報告】
2006137226.tif 000007
2006137226.tif 000008
2006137226.tif 000009